(57)【要約】【課題】操作に応じて表示を切り替えることができるスライドスイッチを提供する。【解決手段】操作部をスライド操作することで電路が開閉されるスライドスイッチにおいて、操作部２，１２，２２，３２に貫通孔２ｂ，１２ｂ，２２ｂ，３２ｂが形成され、この貫通孔２ｂ，１２ｂ，２２ｂ，３２ｂにレンズ１，１１，２１，３１が配設され、このレンズ１，１１，２１，３１の下方に表示部３，１３，２３，３３が配設され、前記レンズ１，１１，２１，３１は一方向に対して全反射して下面に近接する表示を上面に映し出す効果を有し、このレンズ１，１１，２１，３１により前記表示部３，１３，２３，３３に形成された表示が前記レンズ１，１１，２１，３１の上面に表示される。【選択図】図１
2013206640.tif 000002
【特許請求の範囲】
【請求項１】
操作部をスライド操作することで電路が開閉されるスライドスイッチにおいて、操作部に貫通孔が形成され、該貫通孔にレンズが配設され、該レンズの下方に表示部が配設され、前記レンズは一方向に対して全反射して下面に近接する表示を上面に映し出す効果を有し、該レンズにより前記表示部に形成された表示が前記レンズの上面に表示されることを特徴とするスライドスイッチ。
【請求項２】
請求項１記載のスライドスイッチにおいて、前記表示部を下方から照光する発光素子を配設したことを特徴とするスライドスイッチ。
【請求項３】
請求項１または２記載のスライドスイッチにおいて、前記表示部をスイッチ本体から着脱可能としたことを特徴とするスライドスイッチ。
【請求項４】
請求項１記載のスライドスイッチにおいて、前記レンズは石英ガラスの極細線を束ねて構成したことを特徴とするスライドスイッチ。
【請求項５】
請求項１記載のスライドスイッチにおいて、前記レンズはプラスチックの極細線を束ねて構成したことを特徴とするスライドスイッチ。
【発明の詳細な説明】
【技術分野】
【０００１】
本発明は、スライドスイッチに関するものである。
【背景技術】
【０００２】
従来、操作部をスライド操作することで電路が開閉されるスライドスイッチとして、把手と連動する転換子に発光体を係止した照光式小型スライドスイッチ（下記特許文献１参照）や、スライドノブを突出させたパネルの開口の透き間を塞ぐためのブラインドに動作表示を施したブラインド装置（下記特許文献２参照）や、操作部に表示装置を備えた表示装置付きスライドボリューム（下記特許文献３参照）があった。
【先行技術文献】
【特許文献】
【０００３】
【特許文献１】実開昭６２−０７７８３１号公報
【特許文献２】実開昭６１−１１２５４１号公報
【特許文献３】特開２０１０−０５６３５０号公報
【発明の概要】
【発明が解決しようとする課題】
【０００４】
しかしながら、上記特許文献１の照光式小型スライドスイッチは、把手を照光することができるが、操作に応じて表示を切り替えることができなかった。上記特許文献２のブラインド装置は、ブラインドに施された動作表示によって操作に応じた表示の切り替えができるが、パネルの開口した部分に表示があるため、視認性が悪いといった問題があった。上記特許文献３の表示装置付きスライドボリュームは、操作部に備えられた表示装置によって多様な表示が可能であるが、表示装置は高価であり、構造が複雑になるといった問題があった。
【０００５】
そこで本発明は、上記状況に鑑みて、操作に応じて表示を切り替えることができるスライドスイッチを提供することを目的とする。
【課題を解決するための手段】
【０００６】
本発明は、上記目的を達成するために、
〔１〕操作部をスライド操作することで電路が開閉されるスライドスイッチにおいて、操作部（２，１２，２２，３２）に貫通孔（２ｂ，１２ｂ，２２ｂ，３２ｂ）が形成され、この貫通孔（２ｂ，１２ｂ，２２ｂ，３２ｂ）にレンズ（１，１１，２１，３１）が配設され、このレンズ（１，１１，２１，３１）の下方に表示部（３，１３，２３，３３）が配設され、前記レンズ（１，１１，２１，３１）は一方向に対して全反射して下面に近接する表示を上面に映し出す効果を有し、このレンズ（１，１１，２１，３１）により前記表示部（３，１３，２３，３３）に形成された表示が前記レンズ（１，１１，２１，３１）の上面に表示されることを特徴とする。
〔２〕上記〔１〕記載のスライドスイッチにおいて、前記表示部（１３，３３）を下方から照光する発光素子（２０，４０）を配設したことを特徴とする。
〔３〕上記〔１〕または〔２〕記載のスライドスイッチにおいて、前記表示部（２３，３３）をスイッチ本体から着脱可能としたことを特徴とする。
〔４〕上記〔１〕記載のスライドスイッチにおいて、前記レンズ（１，１１，２１，３１）は石英ガラスの極細線を束ねて構成したことを特徴とする。
〔５〕上記〔１〕記載のスライドスイッチにおいて、前記レンズ（１，１１，２１，３１）はプラスチックの極細線を束ねて構成したことを特徴とする。
【発明の効果】
【０００７】
本発明によれば、次のような効果を奏することができる。
（１）操作部の上面に表示することができる。
（２）操作部の操作に応じて表示を切り替えることができる。
（３）表示を切り替えることができるので、スイッチの状態を容易に確認することできる。
（４）表示部を照光することで、視認性を向上することができる。
（５）表示部を着脱可能とすることで、ユーザーで容易に表示部を交換することができる。
（６）表示部を着脱可能とすることで、共通のスイッチ本体と多様な表示部との組合せにより表示の異なるスイッチを容易に構成することができる。
【図面の簡単な説明】
【０００８】
【図１】本発明の第１実施例を表すスライドスイッチの斜視図である。
【図２】本発明の第１実施例を表すスライドスイッチの分解斜視図である。
【図３】本発明の第１実施例を表すスライドスイッチの断面図である。
【図４】本発明の第１実施例を表すスライドスイッチの平面図である。
【図５】本発明の第２実施例を表すスライドスイッチの分解斜視図である。
【図６】本発明の第２実施例を表すスライドスイッチの断面図である。
【図７】本発明の第３実施例を表すスライドスイッチの分解斜視図である。
【図８】本発明の第３実施例を表すスライドスイッチの断面図である。
【図９】本発明の第４実施例を表すスライドスイッチの分解斜視図である。
【図１０】本発明の第４実施例を表すスライドスイッチの断面図である。
【発明を実施するための形態】
【０００９】
本発明のスライドスイッチは、操作部に貫通孔が形成され、この貫通孔にレンズが配設され、このレンズの下方に表示部が配設され、前記レンズは一方向に対して全反射して下面に近接する表示を上面に映し出す効果を有し、このレンズにより前記表示部に形成された表示が前記レンズの上面に表示される。
【実施例】
【００１０】
以下、本発明の実施例について、図面を参照しながら詳細に説明する。
【００１１】
図１は本発明の第１実施例を表すスライドスイッチの斜視図、図２は本発明の第１実施例を表すスライドスイッチの分解斜視図、図３は本発明の第１実施例を表すスライドスイッチの断面図、図４は本発明の第１実施例を表すスライドスイッチの平面図である。
【００１２】
これらの図において、１はレンズ、２は摺動子、３は表示板、４はケース、５は共通端子、６は接触端子、７は可動接片、８はカバーである。レンズ１は直方体で、一方向に対して全反射して下面に近接する表示を上面に映し出す効果を有し、側面の下方に嵌合凹部１ａが形成されている。摺動子２には、上面に上方に突出したツマミ２ａが形成され、ツマミ２ａに上下方向（スライド方向と直交する方向）に貫通する貫通孔２ｂが形成され、下面に可動接片７を配設する嵌合溝２ｃが形成され、側面に後述するカバー８の凹部８ｃと係合して操作感を付与する凸部２ｄが形成され、貫通孔２ｂの下方にレンズ１の嵌合凹部１ａと嵌合する嵌合凸部２ｅが形成されている。表示板３は、上面にレンズ１上面に表示する文字が形成されている。ケース４は、底面の周囲に立設された側壁に一対の突片４ａが形成され、この突片４ａに後述するカバー８の嵌合凸部８ｂと嵌合する嵌合孔４ｂが形成され、底面には表示板３を配設する収納凹部４ｃが形成され、共通端子５および接触端子６が埋設されている。カバー８は、上面にツマミ２ａが突出する窓孔８ａが形成され、外側面に嵌合孔４ｂと嵌合する嵌合凸部８ｂが形成され、内側面に凸部２ｄと係合する凹部８ｃが形成されている。
【００１３】
摺動子２の貫通孔２ｂにレンズ１が挿入され、嵌合凸部２ｅと嵌合凹部１ａが嵌合されて摺動子２にレンズ１が配設され、摺動子２の嵌合溝２ｃに可動接片７が配設され、ケース４の収納凹部４ｃに表示板３が配設され、摺動子２がケース４に配設され、可動接片７が共通端子５および接触端子６を挟持する。ツマミ２ａが窓孔８ａから突出するようにカバー８がケース４に被され、凸部２ｄが凹部８ｃに係合され、嵌合凸部８ｂと嵌合孔４ｂが嵌合されることで、スライドスイッチが完成される。
【００１４】
ここで、レンズ１は曹灰硼石（ウレキサイト）と呼ばれる繊維状結晶の集合体と同様の効果を有するレンズで、石英ガラスやプラスチックの極細線を束ねて構成される人口のレンズであることが好ましい。または、内視鏡などに用いられる光ファイバで構成してもよい。
【００１５】
以上のように構成された本発明のスライドスイッチは、図１および図４に示すように、レンズ１下方に配設された表示板３の表示がレンズ１上面に表示される。ツマミ２ａをスライド操作すると、共通端子５と一方の接触端子６に接触していた可動接片７が摺動し、共通端子５と他方の接触端子６に接触することで電路が切り換えられ、そのスライド操作に伴って、レンズ１上面の表示が切り替えられる。よって、操作部のスライド操作に伴って電路が開閉されるとともに、操作に応じて表示を切り替えることができる。
【００１６】
このように、本実施例に示すスライドスイッチは、操作部のスライド操作に応じて表示を切り替えることができるという特徴を有している。
【００１７】
本実施例では、表示板をケースの収納凹部に配設しているが、ケースと一体的に形成してもよく、ケースに直接形成してもよい。また、接触機構を可動接片で端子を挟持する方式としているが、シーソー方式としてもよい。
【００１８】
図５は本発明の第２実施例を表すスライドスイッチの分解斜視図、図６は本発明の第２実施例を表すスライドスイッチの断面図である。
【００１９】
これらの図において、１１はレンズ、１２は摺動子、１３は表示板、１４はケース、１５は共通端子、１６は接触端子、１７は可動接片、１８はカバー、１９は導光板、２０は発光素子である。レンズ１１は直方体で、一方向に対して全反射して下面に近接する表示を上面に映し出す効果を有し、側面の下方に嵌合凹部１１ａが形成されている。摺動子１２には、上面に上方に突出したツマミ１２ａが形成され、ツマミ１２ａに上下方向（スライド方向と直交する方向）に貫通する貫通孔１２ｂが形成され、下面に可動接片１７を配設する嵌合溝１２ｃが形成され、側面に後述するカバー１８の凹部１８ｃと係合して操作感を付与する凸部１２ｄが形成され、貫通孔１２ｂの下方にレンズ１１の嵌合凹部１１ａと嵌合する嵌合凸部１２ｅが形成されている。表示板１３は透光部材で形成され、上面または下面にレンズ１１上面に表示する文字が形成されている。ケース１４は、底面の周囲に立設された側壁に一対の突片１４ａが形成され、この突片１４ａに後述するカバー１８の嵌合凸部１８ｂと嵌合する嵌合孔１４ｂが形成され、底面には表示板１３および導光板１９を配設する嵌合部１４ｃが形成され、共通端子１５および接触端子１６が埋設され、導光板１９に向かって照光する位置に発光素子２０が配設されている。カバー１８は、上面にツマミ１２ａが突出する窓孔１８ａが形成され、外側面に嵌合孔１４ｂと嵌合する嵌合凸部１８ｂが形成され、内側面に凸部１２ｄと係合する凹部１８ｃが形成されている。
【００２０】
摺動子１２の貫通孔１２ｂにレンズ１１が挿入され、嵌合凸部１２ｅと嵌合凹部１１ａが嵌合されて摺動子１２にレンズ１１が配設され、摺動子１２の嵌合溝１２ｃに可動接片１７が配設され、ケース１４の嵌合部１４ｃに表示板１３および導光板１９が配設され、摺動子１２がケース１４に配設され、可動接片１７が共通端子１５および接触端子１６を挟持する。ツマミ１２ａが窓孔１８ａから突出するようにカバー１８がケース１４に被され、凸部１２ｄが凹部１８ｃに係合され、嵌合凸部１８ｂと嵌合孔１４ｂが嵌合されることで、スライドスイッチが完成される。
【００２１】
ここで、レンズ１１は曹灰硼石（ウレキサイト）と呼ばれる繊維状結晶の集合体と同様の効果を有するレンズで、石英ガラスやプラスチックの極細線を束ねて構成される人口のレンズであることが好ましい。または、内視鏡などに用いられる光ファイバで構成してもよい。
【００２２】
以上のように構成された本発明のスライドスイッチは、第１実施例と同様に、レンズ１１下方に配設された表示板１３の表示がレンズ１１上面に表示される。ツマミ１２ａをスライド操作すると、共通端子１５と一方の接触端子１６に接触していた可動接片１７が摺動し、共通端子１５と他方の接触端子１６に接触することで電路が切り換えられ、そのスライド操作に伴って、レンズ１１上面の表示が切り替えられる。よって、操作部のスライド操作に伴って電路が開閉されるとともに、操作に応じて表示を切り替えることができる。さらに、発光素子２０の照光によりレンズ１１上面に表示をするとともに照光することができるので、視認性を向上することができる。
【００２３】
このように、本実施例に示すスライドスイッチは、操作部のスライド操作に応じて表示を切り替えるとともに操作部を照光することができるという特徴を有している。
【００２４】
本実施例では、表示板を導光板の上面に配設しているが、導光板と一体的に形成または導光板に表示を形成してもよい。また、接触機構を可動接片で端子を挟持する方式としているが、シーソー方式としてもよい。また、発光素子を側方に１個配設しているが、導光板の下方に配設してもよく、発光色は単色でも多色でもよく、複数個配設してもよい。
【００２５】
図７は本発明の第３実施例を表すスライドスイッチの分解斜視図、図８は本発明の第３実施例を表すスライドスイッチの断面図である。
【００２６】
これらの図において、２１はレンズ、２２は摺動子、２３は表示板、２４はケース、２５は共通端子、２６は接触端子、２７は可動接片、２８はカバーである。レンズ２１は直方体で、一方向に対して全反射して下面に近接する表示を上面に映し出す効果を有し、側面の下方に嵌合凹部２１ａが形成されている。摺動子２２には、上面に上方に突出したツマミ２２ａが形成され、ツマミ２２ａに上下方向（スライド方向と直交する方向）に貫通する貫通孔２２ｂが形成され、下面に可動接片２７を配設する嵌合溝２２ｃが形成され、側面に後述するカバー２８の凹部２８ｃと係合して操作感を付与する凸部２２ｄが形成され、貫通孔２２ｂの下方にレンズ２１の嵌合凹部２１ａと嵌合する嵌合凸部２２ｅが形成されている。表示板２３は方形板形状に形成され、上面にレンズ２１上面に表示する文字が形成され、底面に一対の垂下片２３ａが形成され、この垂下片２３ａには嵌合孔２３ｂが形成されている。ケース２４は、底面の周囲に立設された側壁に一対の突片２４ａが形成され、この突片２４ａに後述するカバー２８の嵌合凸部２８ｂと嵌合する嵌合孔２４ｂが形成され、底面には共通端子５および接触端子６が埋設され、表示板２３を配設する収納孔２４ｃが形成され、この収納孔２４ｃの側面に嵌合凸部２４ｄが形成されている。カバー２８は、上面にツマミ２２ａが突出する窓孔２８ａが形成され、外側面に嵌合孔２４ｂと嵌合する嵌合凸部２８ｂが形成され、内側面に凸部２２ｄと係合する凹部２８ｃが形成されている。
【００２７】
摺動子２２の貫通孔２２ｂにレンズ２１が挿入され、嵌合凸部２２ｅと嵌合凹部２１ａが嵌合されて摺動子２２にレンズ２１が配設され、摺動子２２の嵌合溝２２ｃに可動接片２７が配設され、摺動子２２がケース２４に配設され、可動接片２７が共通端子２５および接触端子２６を挟持する。ツマミ２２ａが窓孔２８ａから突出するようにカバー２８がケース２４に被され、凸部２２ｄが凹部２８ｃに係合され、嵌合凸部２８ｂと嵌合孔２４ｂが嵌合され、ケース２４の下方から収納孔２４ｃに表示板２３が配設され、嵌合凸部２４ｄと嵌合孔２３ｂが嵌合されることで、スライドスイッチが完成される。
【００２８】
ここで、レンズ２１は曹灰硼石（ウレキサイト）と呼ばれる繊維状結晶の集合体と同様の効果を有するレンズで、石英ガラスやプラスチックの極細線を束ねて構成される人口のレンズであることが好ましい。または、内視鏡などに用いられる光ファイバで構成してもよい。
【００２９】
以上のように構成された本発明のスライドスイッチは、第１実施例と同様に、レンズ２１下方に配設された表示板２３の表示がレンズ２１上面に表示される。ツマミ２２ａをスライド操作すると、共通端子２５と一方の接触端子２６に接触していた可動接片２７が摺動し、共通端子２５と他方の接触端子２６に接触することで電路が切り換えられ、そのスライド操作に伴って、レンズ２１上面の表示が切り替えられる。よって、操作部のスライド操作に伴って電路が開閉されるとともに、操作に応じて表示を切り替えることができる。さらに、表示板２３はケース２４に着脱自在であるため、ユーザーが容易に表示を変更することができる。
【００３０】
このように、本実施例に示すスライドスイッチは、操作部のスライド操作に応じて表示を切り替えることができ、表示部が着脱自在であるため容易に表示を変更することができるという特徴を有している。
【００３１】
本実施例では、表示板とケースを嵌合孔と嵌合凸部の嵌合により着脱自在としているが、他の着脱手段にしてもよい。また、接触機構を可動接片で端子を挟持する方式としているが、シーソー方式としてもよい。
【００３２】
図９は本発明の第４実施例を表すスライドスイッチの分解斜視図、図１０は本発明の第４実施例を表すスライドスイッチの断面図である。
【００３３】
これらの図において、３１はレンズ、３２は摺動子、３３は表示板、３４はケース、３５は共通端子、３６は接触端子、３７は可動接片、３８はカバー、３９は導光板、４０は発光素子、４１は着脱部材である。レンズ３１は直方体で、一方向に対して全反射して下面に近接する表示を上面に映し出す効果を有し、側面の下方に嵌合凹部３１ａが形成されている。摺動子３２には、上面に上方に突出したツマミ３２ａが形成され、ツマミ３２ａに上下方向（スライド方向と直交する方向）に貫通する貫通孔３２ｂが形成され、下面に可動接片３７を配設する嵌合溝３２ｃが形成され、側面に後述するカバー３８の凹部３８ｃと係合して操作感を付与する凸部３２ｄが形成され、貫通孔３２ｂの下方にレンズ３１の嵌合凹部３１ａと嵌合する嵌合凸部３２ｅが形成されている。表示板３３は透光部材で形成され、上面または下面にレンズ３１上面に表示する文字が形成されている。ケース３４は、底面の周囲に立設された側壁に一対の突片３４ａが形成され、この突片３４ａに後述するカバー３８の嵌合凸部３８ｂと嵌合する嵌合孔３４ｂが形成され、底面には共通端子３５および接触端子３６が埋設され、導光板３９に向かって照光する位置に発光素子４０が配設され、着脱部材４１を配設する収納孔３４ｃが形成され、この収納孔３４ｃの側面に嵌合凸部３４ｄが形成されている。カバー３８は、上面にツマミ３２ａが突出する窓孔３８ａが形成され、外側面に嵌合孔３４ｂと嵌合する嵌合凸部３８ｂが形成され、内側面に凸部３２ｄと係合する凹部３８ｃが形成されている。着脱部材４１には、嵌合凸部３４ｄと嵌合する嵌合孔４１ａが形成されている
【００３４】
摺動子３２の貫通孔３２ｂにレンズ３１が挿入され、嵌合凸部３２ｅと嵌合凹部３１ａが嵌合されて摺動子３２にレンズ３１が配設され、摺動子３２の嵌合溝３２ｃに可動接片３７が配設され、摺動子３２がケース３４に配設され、可動接片３７が共通端子３５および接触端子３６を挟持する。ツマミ３２ａが窓孔３８ａから突出するようにカバー３８がケース３４に被され、凸部３２ｄが凹部３８ｃに係合され、嵌合凸部３８ｂと嵌合孔３４ｂが嵌合され、ケース３４の下方から収納孔３４ｃに表示板３３および導光板３９が配設された着脱部材４１が配設され、嵌合凸部３４ｄと嵌合孔４１ａが嵌合されることで、スライドスイッチが完成される。
【００３５】
ここで、レンズ３１は曹灰硼石（ウレキサイト）と呼ばれる繊維状結晶の集合体と同様の効果を有するレンズで、石英ガラスやプラスチックの極細線を束ねて構成される人口のレンズであることが好ましい。または、内視鏡などに用いられる光ファイバで構成してもよい。
【００３６】
以上のように構成された本発明のスライドスイッチは、第１実施例と同様に、レンズ３１下方に配設された表示板３３の表示がレンズ３１上面に表示される。ツマミ３２ａをスライド操作すると、共通端子３５と一方の接触端子３６に接触していた可動接片３７が摺動し、共通端子３５と他方の接触端子３６に接触することで電路が切り換えられ、そのスライド操作に伴って、レンズ３１上面の表示が切り替えられる。よって、操作部のスライド操作に伴って電路が開閉されるとともに、操作に応じて表示を切り替えることができる。さらに、発光素子４０の照光によりレンズ３１上面に表示をするとともに照光することができるので、視認性を向上することができる。さらに、表示板３３はケース３４に着脱自在であるため、ユーザーが容易に表示を変更することができる。
【００３７】
このように、本実施例に示すスライドスイッチは、操作部のスライド操作に応じて表示を切り替えるとともに操作部を照光することができ、表示部が着脱自在であるため容易に表示を変更することができるという特徴を有している。
【００３８】
本実施例では、表示板を導光板の上面に配設しているが、導光板と一体的に形成または導光板に表示を形成してもよく、導光板と着脱部材を一体的に形成してもよい。また、接触機構を可動接片で端子を挟持する方式としているが、シーソー方式としてもよい。また、発光素子を側方に１個配設しているが、導光板の下方に配設してもよく、発光色は単色でも多色でもよく、複数個配設してもよい。
【００３９】
なお、本発明は上記の実施例に限定されるものではなく、本発明の趣旨に基づき種々の変形が可能であり、これらを本発明の範囲から排除するものではない。
【産業上の利用可能性】
【００４０】
本発明のスライドスイッチは、操作に応じて表示を切り替えることができるスライドスイッチとして利用可能である。
【符号の説明】
【００４１】
１，１１，２１，３１  レンズ
１ａ，１１ａ，２１ａ，３１ａ  嵌合凹部
２，１２，２２，３２  摺動子
２ａ，１２ａ，２２ａ，３２ａ  ツマミ
２ｂ，１２ｂ，２２ｂ，３２ｂ  貫通孔
２ｃ，１２ｃ，２２ｃ，３２ｃ  嵌合溝
２ｄ，１２ｄ，２２ｄ，３２ｄ  凸部
２ｅ，８ｂ、１２ｅ、１８ｂ，２２ｅ，２４ｄ，２８ｂ，３２ｅ，３４ｄ，３８ｂ  嵌合凸部
３，１３，２３，３３  表示板
４，１４，２４，３４  ケース
４ａ，１４ａ，２４ａ，３４ａ  突片
４ｂ、１４ｂ、２３ｂ，２４ｂ，３４ｂ，４１ａ  嵌合孔
４ｃ  収納凹部
５，１５，２５，３５  共通端子
６，１６，２６，３６  接触端子
７，１７，２７，３７  可動接片
８，１８，２８，３８  カバー
８ａ，１８ａ，２８ａ，３８ａ  窓孔
８ｃ，１８ｃ，２８ｃ，３８ｃ  凹部
１４ｃ  嵌合部
１９，３９  導光板
２０，４０  発光素子
２４ｃ，３４ｃ  収納孔
４１  着脱部材
【図１】
2013206640.tif 000003
【図２】
2013206640.tif 000004
【図３】
2013206640.tif 000005
【図４】
2013206640.tif 000006
【図５】
2013206640.tif 000007
【図６】
2013206640.tif 000008
【図７】
2013206640.tif 000009
【図８】
2013206640.tif 000010
【図９】
2013206640.tif 000011
【図１０】
2013206640.tif 000012